(57)【特許請求の範囲】
【請求項１】
円形底のスクリュケース（４）の内部にスクリュ（５）を置き、スクリュ（５）を駆動モータ（６）により回転させ、スクリュケース（４）の内部に落下した吸殻（７）をスクリュ（５）のスクリュ羽根（８）により螺旋送りし、吸殻（７）を回収ボックス（９）に回収する吸殻回収装置（１）において、スクリュケース（４）の屈曲位置で隣接のスクリュ（５）のスクリュ軸（１０）を軸受け（１２）により回転自在に支持し、各スクリュ軸（１０）に固定されている一対のベベルギヤ（１１）をかみ合わせ、さらにスクリュケース（４）の屈曲位置で隣接のスクリュ羽根（８）を円弧状で可撓性の補助スクリュ羽根（３）により連結する、ことを特徴とする吸殻回収装置（１）。
【請求項２】
軸受け（１２）を各スクリュ軸（１０）により支持するとともに、軸受け（１２）をギヤケース兼用として構成し、軸受け（１２）の内部に一対のベベルギヤ（１１）を収容する、ことを特徴とする請求項１記載の吸殻回収装置（１）。
【請求項３】
左右のスクリュケース（４）の開口位置の下方に回収ボックス（９）を配置し、駆動モータ（６）の出力軸（１６）に固定されているベベルギア（１４）を左右のスクリュ軸（１０）に固定されているベベルギア（１５）にかみ合わせる、ことを特徴とする請求項１または請求項２記載の吸殻回収装置（１）。
【請求項４】
補助スクリュ羽根（３）をワイヤ（３ａ）により構成する、ことを特徴とする請求項１記載の吸殻回収装置（１）。
【請求項５】
補助スクリュ羽根（３）を板状体（３ｂ）により構成する、ことを特徴とする請求項１記載の吸殻回収装置（１）。
【請求項６】
補助スクリュ羽根（３）をコイルスプリング（３ｃ）により構成する、ことを特徴とする請求項１記載の吸殻回収装置（１）。
【請求項７】
補助スクリュ羽根（３）を可撓性のワイヤ付きのボールチェーン、帯び状のワイヤネット、帯び状のプラスチックネット、合成繊維の織り平帯およびワイヤブラシの何れかにより構成する、ことを特徴とする請求項１記載の吸殻回収装置（１）。
【請求項８】
補助スクリュ羽根（３）に掃き出し用の変形可能なスイーパ（１７）を取り付ける、ことを特徴とする請求項１、請求項２、請求項４、請求項５、請求項６または請求項７記載の吸殻回収装置（１）。
【発明の詳細な説明】
【技術分野】
【０００１】
本発明は、パチンコ機などの遊戯設備に設置する吸殻の回収装置に関する。
【背景技術】
【０００２】
パチンコホールにおいて、多数のパチンコ機は、前面をそろえて横方向に連続状態で配列されている。吸殻回収装置は、パチンコ機の天板（膳板）の下に取り付けられ、天板の吸殻受けから落下した吸殻を天板の下のスクリュケースで受け止め、スクリュケースの内部のスクリュを送り方向に回転させることによって螺旋送りし、吸殻を回収ボックスに回収している。
【０００３】
多くのパチンコ機は、通常、平面的に見て、垂直面内で横方向に一直線状に配列されている。このため吸殻回収装置のスクリュも天板とともに一直線状となっている。しかし、パチンコホールの平面的な形態に応じ、複数のパチンコ機が平面的に見て、屈曲状態として配列される場合に、または複数のパチンコ機が背中合わせとして配置され、双方の天板の吸殻が共通の回収ボックスに回収される場合に、吸殻回収装置のスクリュは、平面的に見て、屈曲状態として配置される。
【０００４】
例えば特許文献１は、屈曲位置において、スクリュの間に自由継手（自在継ぎ手）を介在させて、両者の間で１つの駆動モータの回転力を伝達している。また、特許文献２は、屈曲位置のスクリュ羽根の端部をＬ字状に屈曲させ、一方のスクリュの端部を他方のスクリュの端部に当てることによって、一方のスクリュから他方のスクリュへ回転力を伝達している。
【０００５】
特許文献１および特許文献２の技術は、いずれも小さな屈曲角度（偏角）でしか利用できない。屈曲角度が大きな角度例えば９０度になると、自在継ぎ手は、回転力を伝達できなくなり、動作不能となる。ところが、現実にはむしろ屈曲角度９０度前後の取り付け態様が多くあることから、大きな屈曲角での回転力の有効な伝達手段、屈曲位置での吸殻の円滑な送り移動手段が望まれている。
【先行技術文献】
【特許文献】
【０００６】
【特許文献１】実用新案登録第３１１５６５５号公報
【特許文献２】特開２００８−７９８３３公報
【発明の概要】
【発明が解決しようとする課題】
【０００７】
したがって、本発明の課題は、吸殻回収装置において、屈曲状態のスクリュの間で、一方のスクリュから他方のスクリュへ回転力を有効に伝達し、かつ屈曲位置で一方のスクリュから他方のスクリュへ吸殻を円滑に送り移動できるようにすることである。
【課題を解決するための手段】
【０００８】
上記の課題のもとに、本発明は、吸殻回収装置において、屈曲状態として配置されている一方のスクリュの回転力を一対のベベルギヤによって他方のスクリュに伝達している。ところが、ベベルギヤによる回転力の伝達手段によると、屈曲位置において、スクリュ羽根が不連続となるため、吸殻が屈曲位置に溜まって詰まり、円滑な送り移動ができなくなる。
【０００９】
そこで、本発明は、スクリュケースの屈曲位置で一方のスクリュのスクリュ羽根と他方のスクリュのスクリュ羽根とを円弧状で可撓性の補助スクリュ羽根により連結し、屈曲位置での補助スクリュ羽根の近似螺旋運動によって、屈曲位置の吸殻を回収方向に送り移動させている。
【００１０】
特許請求の範囲の請求項に沿って具体的に記載すると、本発明は、円形底のスクリュケース（４）の内部にスクリュ（５）を置き、スクリュ（５）を駆動モータ（６）により回転させ、スクリュケース（４）の内部に落下した吸殻（７）をスクリュ（５）のスクリュ羽根（８）により螺旋送りし、吸殻（７）を回収ボックス（９）に回収する吸殻回収装置（１）において、スクリュケース（４）の屈曲位置で隣接のスクリュ（５）のスクリュ軸（１０）を軸受け（１２）により回転自在に支持し、各スクリュ軸（１０）に固定されている一対のベベルギヤ（１１）をかみ合わせ、さらにスクリュケース（４）の屈曲位置で隣接のスクリュ羽根（８）を円弧状で可撓性の補助スクリュ羽根（３）により連結し、補助スクリュ羽根（３）の近似螺旋運動によって屈曲位置の吸殻（７）を回収方向に送り移動させている。
【００１１】
また、本発明は、前記の吸殻回収装置（１）において、軸受け（１２）を各スクリュ軸（１０）により支持するとともに、軸受け（１２）をギヤケース兼用として構成し、軸受け（１２）の内部に一対のベベルギヤ（１１）を収容している。
【００１２】
さらに、本発明は、前記の吸殻回収装置（１）において、左右のスクリュケース（４）の開口位置の下方に回収ボックス（９）を配置し、駆動モータ（６）の出力軸（１６）に固定されているベベルギア（１４）を左右のスクリュ軸（１０）に固定されているベベルギア（１５）にかみ合わせている。
【００１３】
特に、本発明は、前記の吸殻回収装置（１）において、補助スクリュ羽根（３）をワイヤ（３ａ）、板状体（３ｂ）またはコイルスプリング（３ｃ）により構成し、屈曲位置で隣接のスクリュ羽根（８）の相対的な位置変化や距離変化を許容している。
【００１４】
さらに、本発明は、前記の吸殻回収装置（１）において、補助スクリュ羽根（３）に掃き出し用の変形可能なスイーパ（１７）を取り付け、スイーパ（１７）によって吸殻（７）の送り移動を助けている。
【発明の効果】
【００１５】
本発明によると、スクリュケース（４）の屈曲位置において、隣接のスクリュ（５）のスクリュ軸（１０）が軸受け（１２）により回転自在に支持されているから、スクリュ軸（１０）の支持が安定すること、一方のスクリュ（５）の回転力が一対のベベルギヤ（１１）により他方のスクリュ（５）に伝達されるから、大きな屈曲角度でも回転力が位相ずれのない状態で滑らかに伝達できること、また可撓性の補助スクリュ羽根（３）の近似螺旋運動が屈曲位置で吸殻（７）を回収方向に送り移動させるから、屈曲位置で吸殻（７）の滞留や詰まりが防止しできること、さらに隣接のスクリュ（５）の回転位相が一定であるから、補助スクリュ羽根（３）の近似螺旋運動が極端に変化せず、屈曲位置で吸殻（７）の回収方向の送り移動機能が安定すること、などの特有の効果が得られる。
【００１６】
また、本発明は、軸受け（１２）が各スクリュ軸（１０）により支持されているから、スクリュ羽根（８）がスクリュケース（４）の内底面から離れず、吸殻（７）の螺旋送りが損なわれず、また軸受け（１２）がギヤケースを兼用しているから、内部の一対のベベルギヤ（１１）が吸殻（７）や吸殻くずなどの侵入から保護される。
【００１７】
さらに、本発明によると、１台の駆動モータ（６）のベベルギア（１４）が２つのベベルギア（１５）にかみ合い、左右のスクリュ（５）を同時に駆動できるから、大きな吸殻回収装置（１）や、背面で向き合う遊戯台用の吸殻回収装置（１）にも共通の駆動モータ（６）により対応できる。
【００１８】
特に、本発明によると、可撓性の補助スクリュ羽根（３）がワイヤ（３ａ）により構成されていると、回転時のワイヤ（３ａ）の変形が滑らかに行われ、また、補助スクリュ羽根（３）が板状体（３ｂ）により構成されていると、板状体（３ｂ）の面の大きさによって吸殻（７）の送り出し機能が高められ、さらに補助スクリュ羽根（３）がコイルスプリング（３ｃ）により構成されていると、屈曲位置で隣接のスクリュ羽根（８）の間の相対的な大きい位置変化や距離変化に柔軟に対応できる。
【００１９】
さらに、本発明によると、補助スクリュ羽根（３）に変形可能なスイーパ（１７）として柔軟なチューブ、ゴム片、ブラシなどが設けられていると、スイーパ（１７）が屈曲位置でスクリュケース（４）の内面に変形しながら確実に接触するから、吸殻（７）の回収方向への螺旋送り機能が一層向上する。
【図面の簡単な説明】
【００２０】
【図１】本発明の吸殻回収装置の一部破断正面図である。
【図２】本発明の吸殻回収装置の一部破断平面図である。
【図３】本発明の吸殻回収装置の屈曲位置での補助スクリュ羽根（ワイヤ）の近似螺旋運動の拡大平面図である。
【図４】本発明の吸殻回収装置の屈曲位置での補助スクリュ羽根（ワイヤ）の近似螺旋運動の拡大平面図である。
【図５】本発明の吸殻回収装置の屈曲位置での補助スクリュ羽根（ワイヤ）の近似螺旋運動の拡大平面図である。
【図６】本発明の吸殻回収装置の屈曲位置での他の補助スクリュ羽根（板状体）の拡大平面図である。
【図７】本発明の吸殻回収装置の屈曲位置での他の補助スクリュ羽根（コイルスプリング）の拡大平面図である。
【発明を実施するための形態】
【００２１】
図１ないし図２は、本発明の吸殻回収装置１を示している。吸殻回収装置１は、パチンコ機など遊戯設備２の天板１３の下に取り付けられ、円形底のスクリュケース４の内部にスクリュ５を置き、スクリュ５を駆動モータ６により回転させ、スクリュケース４の内部に落下した吸殻７をスクリュ５のスクリュ羽根８により螺旋送りし、吸殻７を回収ボックス９に回収する。
【００２２】
図示の例において、スクリュケース４は、一例として平面的に見て、Ｌ字状として左右で線対称に配置されており、中心位置の駆動モータ６の下方で不連続となっている。回収ボックス９は、中心位置の下に配置されており、左右のスクリュケース４の不連続な位置で上向きに開口し、左右のスクリュケース４の不連続な位置の開口部分から落下する吸殻７を収容して回収する。
【００２３】
駆動モータ６は、通常、減速機付モータであり、中心位置の回収ボックス９の上方に取り付けられ、駆動モータ６の出力軸１６に固定されているベベルギア１４は、左右のスクリュ５のスクリュ軸１０に固定されている２つのベベルギア１５の間に位置し、それらにかみ合っている。出力軸１６および左右のスクリュ軸１０は、逆Ｔ字状の軸受け１８によって回転自在に支持されており、軸受け１８は、ギヤケースを兼ね、内部に１つのベベルギア１４および２つのベベルギア１５を収容している。
【００２４】
また、左右のＬ字状のスクリュケース４は、遊戯設備２の天板１３の下に取り付けられている部分と、左右の天板１３の位置から回収ボックス９の位置までの区間のつなぎ部分とで構成されており、例えば屈曲角度９０度の屈曲位置で連続状態として配置され、直線状のスクリュケース４毎に独立で直線状のスクリュ５を収容している。Ｌ字状のスクリュケース４の屈曲位置において、スクリュ５のスクリュ軸１０は、Ｌ字状の軸受け１２により回転自在に支持されている。軸受け１２は、ギヤケースを兼ねており、内部に各スクリュ軸１０に固定されている一対のベベルギヤ１１をかみ合い状態で収容している。
【００２５】
このようにして、駆動モータ６の出力軸１６の回転は、ベベルギア１４、１５によって図２で横方向（つなぎ部分）の左右のスクリュ５に異なる回転方向として伝達され、さらに一対のベベルギヤ１１によって図２で縦方向（天板１３の下の部分）の左右のスクリュ５に同じ回転方向として伝達される。左右のスクリュ５は、同じ螺旋方向のものとしてスクリュケース４に収容されている。
【００２６】
スクリュ５は、スクリュケース４の内部に落下した吸殻７を螺旋送りするために、スクリュケース４の内部に置かれており、通常、スクリュ５のスクリュ羽根８の輪郭の下側の部分でスクリュケース４の円形底の面に、その自重により接触することによって支えられている。この結果、軸受け１２もスクリュケース４の内部でスクリュ軸１０によって支えられていることになる。
【００２７】
なお、図示の例において、スクリュ５のスクリュ羽根８は、一例として１枚羽根となっているが、２枚羽根以上であってもよい。また、図示の例において、スクリュ５は、短く分割されており、所定長さのスクリュ５は、スクリュ軸１０に分割状態のスクリュ５を回り止め状態として複数組み合わせることによって必要な長さとなる。
【００２８】
スクリュケース４の屈曲位置において、隣接のスクリュ５のスクリュ羽根８は、不連続となっている。このため、屈曲位置で、吸殻７は、溜まり傾向となり、やがて詰まってしまうこともある。その対策として、本発明は、スクリュケース４の屈曲位置において、隣接のスクリュ羽根８をスクリュ羽根８の輪郭形状で可撓性の補助スクリュ羽根３により連結している。
【００２９】
図３ないし図５は、図１および図２と同様に、補助スクリュ羽根３を例えばステンレス製のワイヤ３ａにより構成し、スクリュ５を４５度ごとに順次回転させ、補助スクリュ羽根３（ワイヤ３ａ）の回転位置の変化による近似螺旋運動を示している。これらの図３ないし図５に見られるように、隣接のスクリュ羽根８は、互いに干渉しない範囲で屈曲位置に張り出しており、隣接のスクリュ５は、一例として１８０度の位相でずれている。
【００３０】
そして、隣接のスクリュ５のスクリュ羽根８の各端部は、可撓性の補助スクリュ羽根３（ワイヤ３ａ）によって連結されており、この連結状態で補助スクリュ羽根３（ワイヤ３ａ）は、スクリュ羽根８の輪郭形状に近い形状となっている。なお、補助スクリュ羽根３（ワイヤ３ａ）の端部と２つのスクリュ羽根８の端部は、ボルト・ナットやリベットなどの連結具１９によって固着状態として取り付けられている。このためスクリュ羽根８は、連結具１９の周りに回らない状態となっている。
【００３１】
屈曲位置において、スクリュ５が一対のベベルギヤ１１によって連動して螺旋送り方向に回転すると、図３ないし図５に見られるように、可撓性の補助スクリュ羽根３（ワイヤ３ａ）は、湾曲状態を少し変化させながら、Ｌ字状の軸受け１２の周囲を旋回する。隣接のスクリュ５は、一対のベベルギヤ１１のかみ合いによって連動して回転しているから、連結具１９の間の円弧長さ、つまり補助スクリュ羽根３（ワイヤ３ａ）の長さは、大きく変化せず、この結果として、補助スクリュ羽根３（ワイヤ３ａ）は、Ｌ字状の軸受け１２に干渉せず、またＬ字状の軸受け１２から極端に離れることもなく、軸受け１２の周りを旋回する。このときの補助スクリュ羽根３（ワイヤ３ａ）の旋回は、近似螺旋運動となっており、屈曲位置のスクリュケース４の円形底内面に接触し、吸殻７に対し矢印の螺旋送り方向の移動となっている。
【００３２】
この結果、図２で左右の位置において、縦方向のスクリュケース４のスクリュ羽根８によって左右の屈曲位置に螺旋送りされた吸殻７は、屈曲位置の補助スクリュ羽根３（ワイヤ３ａ）の近似螺旋運動によって、図２で左右の横方向のスクリュケース４に移り、横方向のスクリュケース４のスクリュ羽根８の左右異なる方向の螺旋回転によって回収ボックス９の方向に螺旋送りされ、最終的に左右共通の回収ボックス９の内部に回収される。なお、Ｌ字状の軸受け１２の角部分は、補助スクリュ羽根３に対して干渉しないように、４５度で角取りし、外側に突出しないように形成されている。
【００３３】
図３ないし図５に見られるように、補助スクリュ羽根３（ワイヤ３ａ）に、変形可能なスイーパ１７として例えば柔軟なチューブが被せてある。このスイーパ１７は、補助スクリュ羽根３（ワイヤ３ａ）による吸殻７の掃き出し機能を高め、磨耗防止に有効であり、柔軟なチューブの他に、ブラシ、弾性変形可能なゴム板などで構成することもできる。
【００３４】
次に、図６および図７は、補助スクリュ羽根３の他の例を示している。補助スクリュ羽根３は、図６に示すように、可撓性の板状体３ｂ、例えば帯状のステンレス板やプラスチック板によって構成でき、また図７に示すように、コイルスプリング３ｃによって構成することもできる。これらの補助スクリュ羽根３（可撓性の板状体３ｂ・コイルスプリング３ｃ）は、いずれもスクリュ５の回転のときに、変形することによって、屈曲位置で隣接のスクリュ羽根８の間の相対的に大きな位置変化や距離変化に柔軟に対応し、それらの変化を許容する。これらの補助スクリュ羽根３（可撓性の板状体３ｂ・コイルスプリング３ｃ）にも必要に応じて適切な形態のスイーパ１７が取り付けられる。
【００３５】
さらに、補助スクリュ羽根３は、ワイヤ３ａ、可撓性の板状体３ｂ、コイルスプリング３ｃの他に、図示しないが、可撓性のワイヤ付きのボールチェーン、帯び状のワイヤネット、帯び状のプラスチックネット、合成繊維の織り平帯、ワイヤブラシなどによって構成することもできる。
【００３６】
なお、図示の補助スクリュ羽根３は、半円弧状であるが、隣接のスクリュ羽根８の位相のずれに応じて、半円弧状よりも長い円弧として構成することもできる。もちろん、隣接のスクリュ羽根８の位相は、補助スクリュ羽根３の円弧状の長さに応じて設定され、回転中に、屈曲位置の内側で互いに干渉（接触）しないように選定される。
【産業上の利用可能性】
【００３７】
本発明は、パチンコなどの遊戯設備２にかぎらず、他の類似の設備にも利用できる。また、既に記載したように、本発明は、図示の１条羽根に限定されず、２条羽根以上のスクリュ５にも適用でき、２条羽根以上のスクリュ５に対して補助スクリュ羽根３は、すべてのスクリュ５に、あるいは一部のスクリュ５に取り付けられる。
【符号の説明】
【００３８】
１  吸殻回収装置
２  遊戯設備
３  補助スクリュ羽根  ３ａ  ワイヤ  ３ｂ  板状体  ３ｃ  コイルスプリング
４  スクリュケース
５  スクリュ
６  駆動モータ
７  吸殻
８  スクリュ羽根
９  回収ボックス
１０  スクリュ軸
１１  ベベルギヤ
１２  軸受け
１３  天板
１４  ベベルギヤ
１５  ベベルギヤ
１６  出力軸
１７  スイーパ
１８  軸受け
１９  連結具
【図１】
0006265490.tif 000002
【図２】
0006265490.tif 000003
【図３】
0006265490.tif 000004
【図４】
0006265490.tif 000005
【図５】
0006265490.tif 000006
【図６】
0006265490.tif 000007
【図７】
0006265490.tif 000008